(57)【要約】      （修正有）【課題】構造が簡単で、且つ取り付け空間を小さくすることができるハードディスク固定装置を提供する。【解決手段】ハードディスク固定装置１００は、互いに反対方向に向けて延伸する２組のスライド溝１５１が設けられているブラケット１０と、それぞれハードディスク４０を収容して固定し且つそれぞれ２組のスライド溝に沿って移動する２つの固定フレーム２０と、２つの固定フレームの間に設置され且つ２つの固定フレームと係合する固定部材３０と、を備える。【選択図】図１
2014006955.tif 000002
【特許請求の範囲】
【請求項１】
互いに反対方向に向けて延伸する２組のスライド溝が設けられているブラケットと、
それぞれハードディスクを収容して固定し、それぞれ前記２組のスライド溝に沿って移動する２つの固定フレームと、
２つの前記固定フレームの間に設置され且つ２つの前記固定フレームと係合する固定部材と、を備えることを特徴とするハードディスク固定装置。
【請求項２】
各固定フレームは、第一端板を備え、２つの前記固定フレームの第一端板は、対向するように前記ブラケットに設置され、前記固定部材は、主体部と、主体部の一端の底部から垂直に下方垂直に延伸した後に、湾曲されて上方へ斜めに延伸する傾斜板と、前記傾斜板の両側にそれぞれ突設された係合ピンと、を備え、前記主体部は、前記傾斜板と離れている一端の両側が２つの前記固定フレームの第一端板と回転可能に設置され、前記固定部材が２つの前記固定フレームに対して回転する際、前記係合ピンが２つの前記固定フレームと係合することを特徴とする請求項１に記載のハードディスク固定装置。
【請求項３】
前記固定フレームは、天板を更に備え、各第一端板は、前記天板の一端から下方へ垂直に延在し、前記２つの第一端板には、それぞれ１組の固定孔と、前記２つの固定孔の上部と連通し且つ前記天板まで延在して形成された切欠きと、が設けられており、前記主体部の前記傾斜板と離間する両側には、２つの係止ブロックが設けられ、２つの前記係止ブロックは、それぞれ２つの切欠きに入り、且つ２つの前記第一端板の切欠きに沿って前記固定孔に入った後、前記固定部材を２つの前記固定フレームに対して回転すると、各係合ピンは、対応する前記固定孔の内壁と接触することを特徴とする請求項２に記載のハードディスク固定装置。
【請求項４】
２つの前記係合ピンは、それぞれ２つの前記第一端板の切欠きに入り、次いで前記切欠きに沿って対応する前記固定孔に入って対応する前記固定孔の内壁と接触することを特徴とする請求項３に記載のハードディスク固定装置。
【請求項５】
各係合ピンの前記主体部と反対側には、半径が前記固定孔の半径と同じである弧状であり且つ前記固定孔と組み合わせられる当止面が設けられ、前記係合ピンは、対応する１組の前記固定孔の内壁と接触することを特徴とする請求項４に記載のハードディスク固定装置。
【請求項６】
前記ブラケットは、２つの側板を備え、２つの前記側板の内面の上端には、前記側板の内側の上部から垂直に延伸する複数のガイド部と、各ガイド部の先端から側板の長手方向に対して平行に延伸し且つ前記ガイド部と連通するスライド溝と、がそれぞれ設けられており、２つの前記側板の内壁の前端部に近い各ガイド部は、前記スライド溝の後端部と連通し、２つの前記側板の内壁の後端部に近い各ガイド部は、前記スライド溝の前端部と連通することを特徴とする請求項１〜５のいずれか１項に記載のハードディスク固定装置。
【請求項７】
前記固定フレームは、２つの第二端板を更に備え、前記ハードディスク固定装置は、複数のボルトを更に備え、複数の前記ボルトは、それぞれ前記固定フレームの２つの側板の貫通孔を貫通した後、対応するハードディスクに螺合され、前記ボルトの頭部は、前記ガイド部に沿って前記スライド溝に移動することを特徴とする請求項６に記載のハードディスク固定装置。
【請求項８】
各第二端板には、間隙を開けて凹面が設けられており、各凹面の底壁は、対応する前記ハードディスクと接触し、また、各凹面の底壁には貫通孔が貫通しており、前記ボルトは、前記貫通孔を通過して、前記ハードディスクに螺合されることを特徴とする請求項７に記載のハードディスク固定装置。
【請求項９】
前記ブラケットの前端部及び後端部には、それぞれコネクタが取り付けられており、２つの前記固定フレームには、前記ブラケットのコネクタと対応する開口が設けられており、ハードディスクのコネクタは、前記開口を通過して、前記ブラケットのコネクタと接続されることを特徴とする請求項７または８に記載のハードディスク固定装置。
【発明の詳細な説明】
【技術分野】
【０００１】
本発明は、ハードディスク固定装置に関するものである。
【背景技術】
【０００２】
通常、サーバ内のハードディスクのブラケットに２つ以上のハードディスクを取り付ける際、各ハードディスクは、それぞれ固定機構によってハードディスクのブラケットに固定される。しかし、このようなハードディスクを固定する機構は、構造が複雑で、且つ広い取り付け空間を必要する。
【発明の概要】
【発明が解決しようとする課題】
【０００３】
以上の問題点に鑑みて、本発明は、構造が簡単で、且つ取り付け空間を小さくすることができるハードディスク固定装置を提供することを目的とする。
【課題を解決するための手段】
【０００４】
上記の課題を解決するために、本発明のハードディスク固定装置は、互いに反対方向に向けて延伸する２組のスライド溝が設けられているブラケットと、それぞれハードディスクを収容して固定し且つそれぞれ前記２組のスライド溝に沿って移動する２つの固定フレームと、２つの前記固定フレームの間に設置され且つ２つの前記固定フレームと係合する固定部材と、を備える。
【発明の効果】
【０００５】
本発明のハードディスク固定装置は、２つのハードディスクを２つの固定フレームに取り付けた後、１つの固定部材によって同時に２つのハードディスクを固定するので、構造が簡単で、且つ取り付け空間が小さくなる。
【図面の簡単な説明】
【０００６】
【図１】本発明に係るハードディスク固定装置の分解図である。
【図２】図１に示したハードディスク固定装置の固定部材の拡大図である。
【図３】図１に示したハードディスク固定装置の組み立て図である。
【図４】図３に示したハードディスク固定装置のＩＶ−ＩＶ線に沿った断面図である。
【発明を実施するための形態】
【０００７】
以下、図面に基づいて、本発明に係るハードディスク固定装置について詳細に説明する。
【０００８】
図１及び図２に示すように、本発明に係るハードディスク固定装置１００は、２つのハードディスク４０を固定するために用いられ、各ハードディスク４０の長手方向両側には、それぞれ２つのロック孔４３が設けられている。また、ハードディスク固定装置１００は、ブラケット１０と、ハードディスク４０を収容するための２つの固定フレーム２０と、固定部材３０と、複数のボルト５０と、を備える。
【０００９】
ブラケット１０は、矩形の底板１１と、底板１１の側辺から上方へ垂直に突出する２つの側板１５と、を備える。底板１１の前端部及び後端部には、それぞれコネクタ１２が取り付けられている。２つの側板１５の上端の内面において、略垂直に延伸する（つまり、側板１５の幅方向に延伸する）複数のガイド部１５２が設けられ、各ガイド部１５２の先端から側板１５の長手方向に沿って延伸するスライド溝１５１が設けられている。各ガイド部１５２と各スライド溝１５１とは互いに連通する。本実施形態において、２つの側板１５の内壁の前端部に近い各ガイド部１５２は、スライド溝１５１の後端部と連通し、２つの側板１５の内壁の後端部に近い各ガイド部１５２は、スライド溝１５１の前端部と連通する。
【００１０】
各固定フレーム２０は、対応するハードディスク４０を覆い、且つ底板１１に固定される。各固定フレーム２０は、天板２１と、天板２１の長手方向両側から下方へ垂直に延在して形成された２つの側板２２と、天板２１の長手方向両端から下方へ垂直に延在する第一端板２３と、第二端板２４と、を備える。２つの側板２２は、互いに平行に位置し、且つその両端は第一端板２３と第二端板２４との一端にそれぞれ垂直に接続される。天板２１には、複数の放熱孔２１２が設けられている。各側板２２の外面には、内部へ凹む２つの凹面２５が間隔をあけて設けられている。各凹面２５の底壁２５１には、貫通孔２５２が設けられている。第一端板２３には、２つの円形の固定孔２３１が設けられている。固定フレーム２０には、２つの固定孔２３１の上部と連通し、且つ天板２１まで延在して形成された切欠き２３２が設けられている。各切欠き２３２の幅は、固定孔２３１の直径より小さい。第二端板２４は、ブラケット１０のコネクタ１２と対向する。また、第二端板２４の上部には第二端板２４の長手方向に沿って開口２４３が設けられ、ハードディスク４０のコネクタ４２は、この開口２４３を介してコネクタ１２と接続される。
【００１１】
図２に示すように、固定部材３０は、２つの固定フレーム２０の間に設置され、且つ主体部３１、弾性部材３５を備える。主体部３１は中空であり且つ底面は開口されている。主体部３１は、弾性部材３５から離れている一端の両側で、且つ２つの固定フレーム２０の第一端板２３の固定孔２３１の中に回転可能に設置される接触部３２と、接続部３７と、を備える。接続部３７は、接触部３２の一端から延在して形成されている。接続部３７の接触部３２と離れている一端の両側の側壁には、突起３３が設けられている。突起３３には、この突起３３に対して垂直に突出した略楕円状で、且つ柱状体の係止ブロック３４が設けられている。各係止ブロック３４の１対の側壁３４１は弧状を呈する。この弧状の半径は固定孔２３１の半径に等しい。
【００１２】
接続部３７を底板１１に対して垂直に２つの固定フレーム２０の間に入れる際、２つの係止ブロック３４は、それぞれ対応する切欠き２３２に入った後、切欠き２３２に沿って固定孔２３１に移動する（図４を参照）。次いで、係止ブロック３４は、固定孔２３１の中に回転可能に設置され、且つ固定孔２３１の内壁と接触する。接続部３７を底板１１に対して回転する際、係止ブロック３４は、固定孔２３１の中で回転して、係止ブロック３４の円弧状の壁が固定孔２３１の内壁と接触する。これにより、係止ブロック３４は、固定孔２３１から離脱しない。固定部材３０を２つの固定フレーム２０に対して回転する際、接触部３２は、２つの固定フレーム２０の間に収容され、且つ２つの固定フレーム２０の第一端板２３と接触し、弾性部材３５は、２つの固定フレーム２０と係合される。
【００１３】
弾性部材３５は、接触部３２の一端の底部から下方へ垂直に延伸した後に、湾曲されて上方へ斜めに延伸する傾斜板３５１と、傾斜板３５１の先端から主体部３１から離れる方向に向けて延伸する操作部３５２と、傾斜板３５１の両側にそれぞれ突設された係合ピン３５３と、を備える。２つの係合ピン３５３は、それぞれ２つの固定フレーム２０の第一端板２３に回転可能に設置される。各係合ピン３５３の主体部３１から離間する側には、半径が固定孔２３１の半径と同じである弧状で且つ固定孔２３１と組み合わせられる当止面３５５が設けられている。各係合ピン３５３は、それぞれ第一端板２３の対応する切欠き２３２に入り、且つ切欠き２３２に沿って固定孔２３１に移動する。固定部材３０を２つの固定フレーム２０に対して回転する際、各当止面３５５は、対応する一対の固定孔２３１（２つの固定フレーム２０それぞれにおける一方の固定孔２３１）の内壁と接触する（図４を参照）。各係合ピン３５３は、操作部３５２の押圧による弾性力によって、当止面３５５が固定孔２３１の内壁と接触する。
【００１４】
各ボルト５０は、その本体のサイズより大きく且つ円柱状を呈する頭部５２を備える。複数のボルト５０は、それぞれ固定フレーム２０の２つの側板２２の貫通孔２５２を貫通した後、対応するハードディスク４０に螺合する。これにより、固定フレーム２０とハードディスク４０とは固定される。
【００１５】
図４に示すように、ハードディスク固定装置１００を使用する際、２つのハードディスク４０をそれぞれ２つの固定フレーム２０内に固定する。この際、各ハードディスク４０の両側は、それぞれ対応する固定フレーム２０の凹面２５の底壁２５１と接触し、各ハードディスク４０のコネクタ４２は、固定フレーム２０の対応する開口２４３と対向して位置する。続いて、各ボルト５０を、固定フレーム２０の貫通孔２５２に貫通させた後、ハードディスク４０の対応するロック孔４３内に螺合させることにより、２つのハードディスク４０を２つの固定フレーム２０内にそれぞれ固定する。続いて、２つの固定フレーム２０を、ブラケット１０の底板１１にそれぞれ固定する。この時、第二端板２４はコネクタ１２と対向して設置される。一方の固定フレーム２０において、該固定フレームに固定された４つのボルト５０の頭部５２を、ブラケット１０の前端部に近い４つのガイド部１５２から対応するスライド溝１５１にスライドさせ、さらに頭部５２をスライド溝１５１の末端までスライドさせて、ボルト５０の頭部５２をスライド溝１５１の末端に当止させる。これにより、固定フレーム２０に固定されたハードディスク４０のコネクタ４２は、ブラケット１０の前端部のコネクタ１２と接続される。また、他方の固定フレームにおいて、該固定フレームに固定された４つのボルト５０の頭部５２を、ブラケット１０の後端部に近い４つのガイド部１５２から対応するスライド溝１５１にスライドさせ、さらに頭部５２をスライド溝１５１の末端までスライドさせて、ボルト５０の頭部５２をスライド溝１５１の末端に当止させる。これにより、他方の固定フレーム２０に固定されたハードディスク４０のコネクタ４２は、ブラケット１０の後端部のコネクタ１２と接続される。続いて、固定部材３０を回転させて、主体部３１を下方に向けた後（つまり、縦置き状態にする）、固定部材３０をブラケット１０の上方に置く。この時、係止ブロック３４は、それぞれ対応する切欠き２３２に入り、且つ切欠き２３２に沿って固定孔２３１に移動する。係止ブロック３４は、固定孔２３１の中で回転可能に設置され、且つ固定孔２３１の内壁と接触する。固定部材３０を回転させると、２つの係合ピン３５３は、それぞれ固定フレーム２０の別の切欠き２３２に入り、且つ切欠き２３２に沿って固定孔２３１に移動する。このとき、弾性部材３５が弾性復帰しようとする力によって、当止面３５５は固定孔２３１の側壁と接触する。接触部３２の両側は、それぞれ第一端板２３に当接する。以上により、本発明のハードディスクの固定装置へのハードディスクの固定は完了する。
【００１６】
ハードディスク４０を取り外す或いは取り換える場合、固定部材３０の操作部３５２に外力を加えて、主体部３１に向けて弾性部材３５を押圧して、弾性部材３５を弾性変形させて、２つの係合ピン３５３を切欠き２３２と同一軸線上にセットする。続いて、弾性部材３５を上方へ移動して、２つの係合ピン３５３を対応する切欠き２３２を介して、２つの固定フレーム２０からそれぞれ脱出させる。続いて、固定部材３０を回転して、主体部３１の第一端３１１を下方へ向けて、各係止ブロック３４を縦置き状態に回転させた後、固定部材３０を上方へ移動することにより、固定部材３０を対応する切欠き２３２を介して２つの固定フレーム２０から離脱させる。最後に、２つの固定フレーム２０を、対応するスライド溝１５１に沿ってスライドさせてガイド部１５２を通してブラケット１０から取り出す。続いて、各固定フレーム２０に固定されたボルト５０を緩めて取り出す。以上により、２つのハードディスク４０を完全に取り外すことができる。
【００１７】
以上、本発明の好適な実施形態について詳細に説明したが、本発明はこれらの実施形態に限定されるものではなく、本発明の範囲内で種々の変形又は修正が可能であり、そのような変形又は修正も又、本発明の特許請求の範囲内に含まれるものであることは、言うまでもない。
【符号の説明】
【００１８】
１０  ブラケット
１１  底板
１２、４２  コネクタ
１５、２２  側板
１５１  スライド溝
１５２  ガイド部
２０  固定フレーム
２１  天板
２１２  放熱孔
２３  第一端板
２３１  固定孔
２３２  切欠き
２４  第二端板
２５  凹面
２４３  開口
２５１  底壁
２５２  貫通孔
３０  固定部材
３１  主体部
３２  接触部
３３  突起
３４  係止ブロック
３４１  側壁
３５  弾性部材
３５１  傾斜板
３５２  操作部
３５３  係合ピン
３５５  当止面
３７  接続部
４０  ハードディスク
４３  ロック孔
５０  ボルト
５２  頭部
１００  ハードディスク固定装置
【図１】
2014006955.tif 000003
【図２】
2014006955.tif 000004
【図３】
2014006955.tif 000005
【図４】
2014006955.tif 000006